(57)【要約】【課題】コンパクトな構成で十分な通気面積を確保することが可能なセパレート型空気調和機の冷媒配管穴用スリーブを提供するものである。【解決手段】室内機と室外機とを接続する冷媒配管を内部に配置し、壁部に配設した冷媒配管穴に挿通して嵌装される冷媒配管穴用スリーブにおいて、冷媒配管用貫通口と、排気ダクト口および吸気ダクト口の内少なくとも一つと、ドレンホース口と、接続電線用貫通口を配設する構成のセパレート型空気調和機の冷媒配管穴用スリーブである。【選択図】  図２
2005016663.tif 000002
【特許請求の範囲】
【請求項１】
室内機と室外機とを接続する冷媒配管を内部に配置し、壁部に配設した冷媒配管穴に挿通して嵌装される冷媒配管穴用スリーブにおいて、冷媒配管用貫通口と、排気ダクト口および吸気ダクト口の内少なくとも一つと、ドレンホース口と、接続電線用貫通口を配設することを特徴とするセパレート型空気調和機の冷媒配管穴用スリーブ。
【請求項２】
前記冷媒配管用貫通口と、前記排気ダクト口および吸気ダクト口の内少なくとも一つと、前記ドレンホース口と、前記接続電線用貫通口との空間部に、発泡断熱材を充填して構成することを特徴とする請求項１に記載のセパレート型空気調和機の冷媒配管穴用スリーブ。
【請求項３】
前記冷媒配管用貫通口位置に少なくとも一つのスリットを設けたことを特徴とする請求項１または２に記載のセパレート型空気調和機の冷媒配管穴用スリーブ。
【請求項４】
前記冷媒配管用貫通口位置にて少なくともニ分割構成されることを特徴とする請求項１または２に記載のセパレート型空気調和機の冷媒配管穴用スリーブ。
【請求項５】
前記排気ダクト口および吸気ダクト口の内少なくとも一つと、前記ドレンホース口は、冷媒配管穴用スリーブの両端に接続部を有することを特徴とする請求項１〜４いずれかに記載のセパレート型空気調和機の冷媒配管穴用スリーブ。
【請求項６】
前記接続部の接続が、嵌合方式または圧入方式であることを特徴とする請求項５に記載のセパレート型空気調和機の冷媒配管穴用スリーブ。
【発明の詳細な説明】
【０００１】
【発明の属する技術分野】
本発明は、換気機能を有するセパレート型空気調和機の冷媒配管穴用スリーブに関するものである。
【０００２】
【従来の技術】
家庭用の空気調和機等においては、室内機と室外機とが分離されているセパレート型空気調和機が従来から知られている。近年では、機能の多様化が進み、換気や加湿等が可能なセパレート型空気調和機の開発が盛んに行われている。ここで、換気機能を有するセパレート型空気調和機では、セパレート型空気調和機が取り付けられる建物の美観を損なわず、工事施工性を高めるため、壁穴の径を大きくせず、通気抵抗の少ない換気ダクトを設けたいという要求がある。
【０００３】
このような要求に対して、一つの換気ダクトを排気ダクトおよび吸気ダクトとして兼用しているものがある（例えば特許文献１参照）。上記セパレート型空気調和機は、一台の換気用ファンを備えており、前記換気用ファンの正転、逆転の切り換えにより、一つの換気ダクトで排気および吸気を行うように構成されている。
【０００４】
また、コンパクトな構成で複数の換気ダクトを設けたものもある（例えば特許文献２参照）。上記セパレート型空気調和機は、室内機、室外機と、これらを接続する冷媒配管及び接続電線とを備えており、冷媒配管や接続電線は壁部に嵌装されたスリーブに挿通されている。そして、その換気ダクト構造としては、換気ダクトが複数の細径の換気ダクトに分割され、分割された各換気ダクトが冷媒配管や電気配線が挿通された後に生じるスリーブの隙間に挿通されて構成されている。
【０００５】
【特許文献１】
特開２０００−２４９３６５号公報（第３−５頁、第３図）
【特許文献２】
特開平１０−１９３０３号公報（第３頁、第５図）
【０００６】
【発明が解決しようとする課題】
しかしながら、一つの換気ダクトで吸排気を兼用する構造においては、近年の高気密な建物では吸気時には室内の内圧が上昇し、排気時には逆に内圧が低下するという問題が生じる。
【０００７】
また、コンパクトな構成で複数の換気ダクトを設けた構造においては、以下のような問題点があった。すなわち、冷媒配管には断熱材が被覆されているため、冷媒配管が挿通された後にスリーブ内に残存する空間は小さい。スリーブの径を大きくすることは、美観や壁強度の面から好ましくなく、さらに、通常と異なる工事が必要となり、工事工数や費用が増えてしまうという問題がある。このため、スリーブの径を大きくしないとすれば、換気ダクトを挿通する空間を十分に確保することができず、換気ダクト内の通気面積は小さくなるので、通気抵抗が大きくなってしまう。
【０００８】
そこで、本発明は上記課題を解決し、コンパクトな構成で十分な通気面積を確保することが可能なセパレート型空気調和機の冷媒配管穴用スリーブを提供することを目的とする。
【０００９】
【課題を解決するための手段】
上記課題を解決するため本発明の請求項１記載のセパレート型空気調和機の冷媒配管穴用スリーブは、室内機と室外機とを接続する冷媒配管を内部に配置し、壁部に配設した冷媒配管穴に挿通して嵌装される冷媒配管穴用スリーブにおいて、冷媒配管用貫通口と、排気ダクト口および吸気ダクト口の内少なくとも一つと、ドレンホース口と、接続電線用貫通口を配設することを特徴とする。
【００１０】
請求項２記載のセパレート型空気調和機の冷媒配管穴用スリーブは、前記冷媒配管用貫通口と、前記排気ダクト口および吸気ダクト口の内少なくとも一つと、前記ドレンホース口と、前記接続電線用貫通口との空間部に、発泡断熱材を充填して構成することを特徴とする。
【００１１】
請求項３記載のセパレート型空気調和機の冷媒配管穴用スリーブは、前記冷媒配管用貫通口位置に少なくとも一つのスリットを設けたことを特徴とする。
【００１２】
請求項４記載のセパレート型空気調和機の冷媒配管穴用スリーブは、前記冷媒配管用貫通口位置にて少なくともニ分割構成されることを特徴とする。
【００１３】
請求項５記載のセパレート型空気調和機の冷媒配管穴用スリーブは、前記排気ダクト口および吸気ダクト口の内の少なくとも一つと、前記ドレンホース口は、冷媒配管穴用スリーブの両端に接続部を有することを特徴とする。
【００１４】
請求項６記載のセパレート型空気調和機の冷媒配管穴用スリーブは、前記接続部の接続が、嵌合方式または圧入方式であることを特徴とする。
【００１５】
このように冷媒配管穴用スリーブに、あらかじめ冷媒配管用貫通口と、排気ダクト口および吸気ダクト口の内少なくとも一つと、ドレンホース口と、接続電線用貫通口とを配設し、その空間部に発泡断熱材を充填することにより、断熱材で被覆しない裸配管を挿通しても冷媒配管に結露は生じにくくなる。これにより、冷媒配管が占めるスペースを節約でき、排気ダクト口および吸気ダクト口の内少なくとも一つの通気面積を大きくして通気抵抗を減少させることができる。また、排気ダクトおよび吸気ダクトを有することにより、室内の空気を排気するとともに室外の空気を吸気することができるので、室内の内圧を調整して換気することができる。
【００１６】
【発明の実施の形態】
以下本発明の実施の形態について図面を参照して説明する。
【００１７】
図１は本発明による冷媒配管穴用スリーブを有するセパレート型空気調和機の室内機断面構成図である。以下図１を参照しながら本発明を説明する。図１において、セパレート型空気調和機は、室内と室外とを仕切る壁部１を介して、室内に配設された室内機２と室外に配設された室外機３とを有している。壁部１には、室内と室外とを貫通する冷媒配管穴４が形成され、冷媒配管穴４には冷媒配管穴用スリーブ５が挿通して嵌装されている。室内機２と室外機３とは冷媒配管６、接続配線７によって接続されている。ここで、高圧冷媒配管６Ａ、低圧冷媒配管６Ｂ、接続配線７は冷媒配管穴用スリーブ５に挿通されている。また、室内機２には排気ダクト８および吸気ダクト９、結露水を排水するためのドレンホース１０が接続されている。ここで、排気ダクト８、吸気ダクト９、ドレンホース１０は、冷媒配管穴用スリーブ５に配設された排気ダクト口１１、吸気ダクト口１２、ドレンホース口１３に接続され、室内機２と室外とを連通させている。
【００１８】
以下、具体的な本実施形態例を示す。
【００１９】
（実施の形態１）
図２は本発明の実施の形態１における冷媒配管穴用スリーブ５の断面図である。図２に示すように本実施形態の冷媒配管穴用スリーブ５には、冷媒配管用貫通口１４、排気ダクト口１１、吸気ダクト口１２、ドレンホース口１３、接続電線用貫通口１５が配設されている。また、冷媒配管穴用スリーブ５と、冷媒配管用貫通口１４、排気ダクト口１１、吸気ダクト口１２、ドレンホース口１３、接続電線用貫通口１５との空間部には、ウレタン発泡材１６が充填されている。ここで、冷媒配管穴用スリーブ５は、冷媒配管用貫通口１４の位置に一つのスリット１７を設ける構造となっている。
【００２０】
また図３は本発明の実施の形態１における冷媒配管穴用スリーブ５および冷媒配管用貫通口１４に挿通した冷媒配管６の斜視図である。ここで、高圧冷媒配管６Ａおよび低圧冷媒配管６Ｂは、断熱材１８を被覆しない裸配管の状態で冷媒配管用貫通口１４に挿通されている。なお、室内機から冷媒配管穴用スリーブまでの間と、室外機から冷媒配管穴用スリーブまでの間については、各冷媒配管６は断熱材１８に被覆されている。
【００２１】
また図４は冷媒配管６の冷媒配管接続具１９の構成図である。高圧冷媒配管６Ａおよび低圧冷媒配管６Ｂの端部には、接続配管と接続するための冷媒配管接続具１９が溶接されている。
【００２２】
本実施形態の冷媒配管穴用スリーブにおいては、外郭部にウレタン発泡材１６を充填した冷媒配管用貫通口１４に高圧冷媒配管６Ａおよび低圧冷媒配管６Ｂが挿通されている。これにより、各冷媒配管６に結露は生じにくくなるため、断熱材１８を被覆する必要がなくなり、本実施形態のように各冷媒配管６を裸配管の状態で配設することができる。このように各冷媒配管６に断熱材１８を被覆しない構成とすることによって、各冷媒配管６が冷媒配管穴用スリーブ５内に占める面積を減少させることができるので、排気ダクト８および吸気ダクト９を各冷媒配管６が挿通されるのと同一の冷媒配管穴用スリーブ５に挿通させることができる。また、排気ダクト８および吸気ダクト９の通気面積を十分に確保することができるので、通気抵抗を減少させることができる。
【００２３】
さらに、本実施形態の冷媒配管用スリーブ５によれば、冷媒配管用貫通口１４の位置に一つのスリット１７を設ける構成となっているので、冷媒配管用貫通口１４に各冷媒配管６を挿通する際、スリット１７を使用することにより、冷媒配管用貫通口１４よりも径の大きい冷媒配管接続具１９を挿通することができる。したがって、冷媒配管用貫通口１４の径を各冷媒配管６の径程度に小さくすることができる。このように冷媒配管用貫通口１４の位置に一つのスリット１７を設ける構成とすることによって、冷媒配管用貫通口１４が冷媒配管穴用スリーブ５内に占める面積を減少させることができるので、排気ダクト８および吸気ダクト９の通気面積をより大きくすることができ、通気抵抗を減少させることができる。
【００２４】
以上の点について、具体的に数値を挙げて説明する。図５は従来のセパレート型空気調和機の冷媒配管穴用スリーブ２０の断面図である。一般家庭用のセパレート型空気調和機では、高圧冷媒配管６Ａの径は６．３５ｍｍ、低圧冷媒配管６Ｂの径は９．５２ｍｍであるが、これらに厚さ８ｍｍの結露防止用の断熱材１８で二本の冷媒配管６を一緒に被覆すると径は約３５ｍｍとなる。そして、冷媒配管穴用スリーブ２０の径は約６０ｍｍなので、断熱材１８が被覆された冷媒配管６、接続電線７、ドレンホース１０を冷媒配管穴用スリーブ２０に挿通すると、排気ダクト８および吸気ダクト９を挿通する面積が大幅に減少してしまう。
【００２５】
本実施形態のセパレート型空気調和機の冷媒配管穴用スリーブ５によれば、各冷媒配管６を裸配管として用いることができ、さらに冷媒配管用貫通口１４の位置に一つのスリット１７を設ける構成とすることによって、冷媒配管用貫通口１４が冷媒配管穴用スリーブ５内に占める面積を減少させることができるので、排気ダクト８および吸気ダクト９の通気面積を十分に確保することができ、通気抵抗を減少させることができる。
【００２６】
なお、実施形態１においては、冷媒配管用スリーブ５は冷媒配管用貫通口１４の位置に一つのスリット１７を設ける構成であったが、高圧冷媒配管用貫通口１４Ａおよび低圧冷媒配管用貫通口１４Ｂの位置であれば、スリットの数は限定されない。
【００２７】
（実施の形態２）
次に、図６は本発明の実施の形態２における冷媒配管穴用スリーブ５および冷媒配管用貫通口１４に挿通した冷媒配管６の分解斜視図である。実施形態２の冷媒配管穴用スリーブ５は、実施形態１と基本的な構成は同一である。図６に示すように本実施形態の冷媒配管穴用スリーブ５は、冷媒配管用貫通口１４、排気ダクト口１１、吸気ダクト口１２、ドレンホース口１３、接続電線用貫通口１５が配設されている。また、冷媒配管穴用スリーブ５と、冷媒配管用貫通口１４、排気ダクト口１１、吸気ダクト口１２、ドレンホース口１３、接続電線用貫通口１５との空間部には、ウレタン発泡材１６が充填されている。ここで、冷媒配管穴用スリーブ５は、冷媒配管用貫通口１４の位置において第一半体５Ａおよび第ニ半体５Ｂにニ分割される構造となっている。そして、高圧冷媒配管６Ａおよび低圧冷媒配管６Ｂは、断熱材１８を被覆しない裸配管の状態で冷媒配管用貫通口１４に挿通されている。また、図６は冷媒配管６の冷媒配管接続具１９の構成図である。高圧冷媒配管６Ａおよび低圧冷媒配管６Ｂの端部には、接続配管と接続するための冷媒配管接続具１９が溶接されている。
【００２８】
本実施形態の冷媒配管用スリーブ５によれば、冷媒配管用貫通口１４の位置においてニ分割される構成となっているので、冷媒配管用貫通口１４に各冷媒配管６を挿通する際、冷媒配管用スリーブ５を第一半体５Ａおよび第ニ半体５Ｂに分割した状態で冷媒配管用貫通口１４に各冷媒配管６を配設することにより、冷媒配管接続具１９を挿通することなく各冷媒配管６を挿通することができる。したがって、冷媒配管用貫通口１４の径を各冷媒配管６の径程度に小さくすることができる。このように冷媒配管用貫通口１４の位置においてニ分割される構成とすることによって、冷媒配管用貫通口１４が冷媒配管穴用スリーブ５内に占める面積を減少させることができるので、排気ダクト８および吸気ダクト９の通気面積をより大きくすることができ、通気抵抗を減少させることができる。
【００２９】
なお、実施形態２においては、冷媒配管用スリーブ５は冷媒配管用貫通口１４の位置においてニ分割される構成であったが、高圧冷媒配管用貫通口１４Ａおよび低圧冷媒配管用貫通口１４Ｂの位置であれば、分割される数は限定されない。
【００３０】
（実施の形態３）
次に、図７は本発明の実施の形態３における冷媒配管穴用スリーブ５に配設された排気ダクト口１１および排気ダクト８の接続構成を示す断面図である。実施形態３の冷媒配管穴用スリーブ５は、実施形態２と基本的な構成は同一である。図７に示すように排気ダクト８と本実施形態の冷媒配管穴用スリーブ５に配設した排気ダクト口１１との接続は、排気ダクト８の挿入口に凹凸操作可能な嵌合係止するツメ部２１を形成し、排気ダクト口１１に形成した挿入穴２２に嵌合させて接続するような構成とした。
【００３１】
なお、実施形態３においては、排気ダクト８と排気ダクト口１１との接続構成であったが、吸気ダクト９と吸気ダクト口１２との接続、ドレンホース１０とドレンホース口１３との接続も同様な構成とすることができる。
【００３２】
（実施の形態４）
次に、図８は本発明の実施の形態４における冷媒配管穴用スリーブ５に配設された排気ダクト口１１および排気ダクト８の接続構成を示す断面図である。実施形態４の冷媒配管穴用スリーブ５は、実施形態２と基本的な構成は同一である。
【００３３】
図８に示すように排気ダクト８と本実施形態の冷媒配管穴用スリーブ５に配設した排気ダクト口１１との接続は、排気ダクト８の挿入口外径と排気ダクト口１１の内径とを同程度とし、圧入して接続するような構成とした。
【００３４】
なお、実施形態４においては、排気ダクト８と排気ダクト口１１との接続構成であったが、吸気ダクト９と吸気ダクト口１２との接続、ドレンホース１０とドレンホース口１３との接続も同様な構成とすることができる。
【００３５】
以上、本発明の実施形態について詳細に説明してきたが、本発明は上記実施形態に限定されるものではない。
【００３６】
上記の実施形態においては、換気ダクトは排気ダクト８および吸気ダクト９の二本であったが、換気ダクトは少なくとも一つの排気ダクト８を含むものであれば、その数は限定されない。
【００３７】
また、上記実施形態においては、発泡断熱材としてウレタン発泡材６を使用したが、発泡原液を吐出して充填するものであれば、その種類は限定されない。
【００３８】
【発明の効果】
上記実施例から明らかなように、請求項１記載の発明によれば、換気ダクトには少なくとも吸気ダクトおよび排気ダクトの内少なくとも一つを有することにより、室内の空気を排気するとともに室外の空気を吸気することができるので、室内の内圧を調整して換気することができる。
【００３９】
請求項２記載の発明によれば、断熱材によって冷媒配管を被覆する必要がなくなるので、冷媒配管が占めるスペースを節約でき、排気ダクトおよび吸気ダクトの通気面積を大きくして通気抵抗を減少させることができる。
【００４０】
請求項３記載の発明によれば、冷媒配管用貫通口が冷媒配管穴用スリーブ内に占める面積を減少させることができるので、排気ダクトおよび吸気ダクトの通気面積をより大きくして通気抵抗を減少させることができる。
【００４１】
請求項４記載の発明によれば、冷媒配管用貫通口が冷媒配管穴用スリーブ内に占める面積を減少させることができるので、排気ダクトおよび吸気ダクトの通気面積をより大きくして通気抵抗を減少させることができる。
【００４２】
請求項５記載の発明によれば、排気ダクト、吸気ダクト、ドレンホースに引張り等の外力が作用しても冷媒配管穴用スリーブから容易に外れることはなくなり、排気ダクト、吸気ダクトの外れを起因とした換気動作不良や、ドレンホースの外れを起因としたドレン水の飛散事故を防止することができる。
【００４３】
請求項６記載の発明によれば、接続部の部品点数が削減できることで量産効果に優れ安価に製造することができ、また締め付け作業等の工数低下が図れるとともに、排気ダクト、吸気ダクト、ドレンホースの着脱を簡単に行うことができるので、清掃時等メンテナンス性を向上させることができる。
【図面の簡単な説明】
【図１】本発明の一実施例を示す冷媒配管穴用スリーブを有するセパレート型空気調和機の室内機断面構成図
【図２】本発明の一実施例を示す冷媒配管穴用スリーブの断面図
【図３】本発明の一実施例を示す冷媒配管穴用スリーブ冷媒配管用貫通口に挿通した冷媒配管の斜視図
【図４】冷媒配管の冷媒配管接続具の構成図
【図５】従来のセパレート型空気調和機の冷媒配管穴用スリーブの断面図
【図６】本発明の一実施例を示す冷媒配管穴用スリーブおよび冷媒配管用貫通口に挿通した冷媒配管の分解斜視図
【図７】本発明の一実施例を示す冷媒配管穴用スリーブに配設された排気ダクト口および排気ダクトの接続構成を示す断面図
【図８】本発明の一実施例を示す冷媒配管穴用スリーブに配設された排気ダクト口および排気ダクトの接続構成を示す断面図
【符号の説明】
１  壁部
２  室内機
３  室外機
４  冷媒配管穴
５  冷媒配管穴用スリーブ
５Ａ  第一半体
５Ｂ  第二半体
６  冷媒配管
６Ａ  高圧冷媒配管
６Ｂ  低圧冷媒配管
７  接続配線
８  排気ダクト
９  吸気ダクト
１０  ドレンホース
１１  排気ダクト口
１２  吸気ダクト口
１３  ドレンホース口
１４  冷媒配管用貫通口
１４Ａ  高圧冷媒配管用貫通口
１４Ｂ  低圧冷媒配管用貫通口
１５  接続電線用貫通口
１６  ウレタン発泡材
１７  スリット
１８  断熱材
１９  冷媒配管接続具
２０  冷媒配管穴用スリーブ
２１  ツメ部
２２  挿入穴
【図１】
2005016663.tif 000003
【図２】
2005016663.tif 000004
【図３】
2005016663.tif 000005
【図４】
2005016663.tif 000006
【図５】
2005016663.tif 000007
【図６】
2005016663.tif 000008
【図７】
2005016663.tif 000009
【図８】
2005016663.tif 000010